(57)【特許請求の範囲】
【請求項１】
時分割多重通信回線に接続される通信機器であって、時分割されたタイムスロットのうちの１つに保留音が割り当てられているデータハイウエイと、該データハイウエイと接続されるとともに端末又は電話機のいずれかにそれぞれが接続される複数のインタフェースユニットであって該インタフェースユニットのそれぞれが前記保留音を取り込むラッチを備えたインタフェースユニットと、前記ラッチのいずれかを制御することにより前記インタフェースユニットを介して前記保留音を前記端末又は電話機に流す制御を行うＣＰＵと、を備えることを特徴とする通信機器。
【請求項２】
時分割多重通信回線に接続される通信機器であって、時分割されたタイムスロットのうちの複数に種類の異なる保留音が割り当てられているデータハイウエイと、該データハイウエイと接続されるとともに端末又は電話機のいずれかにそれぞれが接続される複数のインタフェースユニットであって該インタフェースユニットのそれぞれが前記保留音を取り込むラッチを備えたインタフェースユニットと、前記ラッチのいずれかを制御することにより前記インタフェースユニットを介して前記保留音のいずれかを前記端末又は電話機に流す制御を行うＣＰＵと、を備えることを特徴とする通信機器。
【発明の詳細な説明】
【０００１】
【発明の属する技術分野】
本発明は、ＩＳＤＮ（Integrated Services Digital Network）回線網等の時分割多重通信回線に接続される通信機器に関し、さらには、本通信機器は、ＩＳＤＮに接続される複数の端末機とＩＳＤＮ間、端末機相互間の通信を時分割的に交換制御する交換能力を備えた通信機器に適する。さらに詳細には、通信機器において、端末機に保留音を発生する機能を保持させずに、保留音の発生装置を複数の端末機で共有することで、回路を簡素化する通信機器に関する。
【０００２】
【従来の技術】
ＩＳＤＮ回線網に接続される通信機器として、アナログデータを通信する電話機、ＧIIIファクシミリ、ディジタルデータを通信するコードレス電話機、ＧIVファクシミリ、パソコン等があるが、この内通信を一時保留する場合、通信相手側端末機、及び自身端末機に保留音で保留状態であることを知らせることが、親切であり必要とする機器が多い。これまで端末機毎に保留音の発生回路が備えられていた。この場合、高価な音源、コーデック等が各端末毎にそれぞれ必要であった。
【０００３】
【発明が解決しようとする課題】
従来の技術に記述した如く、各端末機に保留音の発生装置を備えることは無駄を生じる。また、コードレス電話機などで、コードレス子機に保留音のキーを持ち、本体側で保留音を発生するものもあるが、子機は保留音を発生する機能を持たないため、この種の子機は、直接通信機器の端末機として接続することに難点がある。
したがって、本発明の目的は、保留音の音源及び付属の回路を１セットに限定し、これらの保留音の音源及び付属の回路を各端末機毎に設置する必要性を無くすることで、非常に経済的な通信機器を提供することである。
【０００４】
【課題を解決するための手段】
本発明の通信機器は、時分割多重通信回線に接続される通信機器であって、少なくとも１つのタイムスロットに割り当てられている保留音を取り込むラッチと、該保留音を前記通信回線に載せる制御回路を備えるものである。
また、前記ラッチは、複数のタイムスロットに割り当てられている保留音を選択的に取り込むことで、好みの保留音を指示選択することができる。
【０００５】
【発明の実施の形態】
以下添付図面を参照しながら本発明の好適な実施の形態について詳細に説明する。
図１は本発明の通信機器を用いる通信系統の構成を示すブロック図である。ＩＳＤＮ回線１１は、ＤＳＵ（Digital Service Unit）１２に接続され、通信制御回路１３に接続される。通信制御回路１３にＤＳＵ１２の機能を合わせ持たせる場合もあるが、本説明では、明確にするため、分離して記述している。通信制御回路１３から、上り線１１８、下り線１１７のデータハイウエイ１１９が出ている。データハイウエイ１１９は、１Ｍｂｐｓ以上の通信速度でディジタルデータが送られる。これらのデータハイウエイ１１９上のデータは、例えば１６スロットに時分割のタイムスロットとして分割され、各タイムスロットに端末機あるいは、ＩＳＤＮの回線を接続する事で交換機の機能を実現させている。上り線１１８の一つのタイムスロットは、ＩＳＤＮに接続される場合、ＩＳＤＮの送信信号となり、ＩＳＤＮからの受信信号は、ＤＳＵ１２、通信制御回路１３を通じて、データハイウエイ１１９に適した一つのタイムスロットの信号として下り線１１７に載せられる。
【０００６】
ＣＰＵ１４は、記憶装置１５とあいまって、通信制御回路１３、インタフェースユニット１６、１８、１１０、１１２、１１４、１１６等からの信号により装置全体の状況を監視し、必要に応じ、各ユニットに指示を与える。インタフェースの種類、それぞれのユニット数は、図１に決まっているわけでは無く、使用者の使用状況に応じて色々の組み合わせが可能であり、図１は一つの事例として提示している。各インタフェースユニットは、データハイウエイ１１９を通じ６４ｋｂｐｓでＩＳＤＮにデータを送受でき、パソコン等のディジタル端末機１１５が接続されるインタフェースディジタルユニット１１４、音声帯域のアナログ端末機１１１、１１３、例えば電話機、ＧIIIファクシミリを接続するインタフェースアナログユニット１１０、１１２、コードレス電話機１７、１９等が接続されるインタフェースＲＦユニット１６、１８、等と共にインタフェースコーデック音源１１６を使用する。
【０００７】
図２は、データハイウエイ１１９上のタイムスロットを説明する図である。ＳＹＮＣ信号２１は、８ｋＨｚの周期で発生され、その１周期の間に１６スロットが、上りスロット２２にＳＵ１,２５、ＳＵ２,２６、ＳＵ３,２７、…ＳＵ１６,２８、の如く割り当てられ、下りスロット２３にＳＤ１,２１０以下の如く割り当てられる。各スロットには、８ｂｉｔのデータが、データハイウエイのデータ例２４のデータ２１５の如く載せられ、１スロットで８ｂｉｔ×８ｋＨｚの伝送速度があり、ＩＳＤＮのＢチャンネル１チャンネル分の６４ｋｂｐｓのデータ速度に丁度適合している。図１の場合１６スロットであるので、ハイウエイ上のデータ速度は１.０２４Ｍｂｐｓとなり、例えばスロット数が２４になるとハイウエイのデータ速度は、１.５３６Ｍｂｐｓとなる。ＩＳＤＮの最も基本的な構成である２Ｂ＋Ｄのチャンネルでは、データハイウエイ１１９の上り線１１８の２スロットがＩＳＤＮのＢチャンネル２本の送信用に、下り線１１７の２スロットがＢチャンネル２本の受信用に使われる。他のスロットは通信機器に接続された端末機相互間の通信等に使用ができる。
【０００８】
本発明の第１実施の形態は、上記タイムスロットの内１スロットを保留音に固定し、この保留音を全ての端末機で使用可能としたものである。本通信機器に接続される端末機として、既存の電話機等以外に、本通信機器専用の端末が作られる場合、高価な保留音発生器を端末機毎に装備する事は、経済的に望ましくないと共に、既存の端末機の内、例えばコードレス電話機の子機で本体側で保留音を発生させる場合もあり、子機のみをＲＦユニットに接続すると保留音が発生できなくなる場合がある。いずれにしても、端末機それぞれに保留音発生器を備えるのではなく、共通して持つ事は、経済的に大変有効な方法である。
【０００９】
図３は、音源ユニットの構成を示す図である。音源コーデック３４の音源として、磁気テープ、ＣＤ、半導体記憶装置等各種のものが用いられるが、本発明では音源に関しては、規制しない。ただ、出力がアナログ信号の場合、ディジタルデータに変更するためデータ変換のためのコーデックが必要となる。図３では、コーデックの出力が８ビット並列の場合を表している。音源コーデック３４から出力された音データは、ＳＹＮＣ２１に同期し１サンプリング音データ８ビットがシフトレジスタに並列にロードされ、データハイウエイ１１９のクロックに同期してシフトレジスタ３３内で循環され記憶される。本実施の形態では、音源タイムスロットＳＤ３,２１２に載せるため、ＣＰＵ１４よりこのタイミングでゲート１,３５が開けられ、音源データが下りデータハイウエイ３１のＳＤ３のスロット２１２にロードされる。
【００１０】
図４、図５は、図２の例でＳＤ３のタイムスロット２１２に載せられた保留音データを端末機のインタフェース、あるいは、別のラッチ回路でラッチし、通信中の端末機それぞれのタイムスロットに載せる回路の構成を示す図である。図４はそれぞれのインタフェースにラッチ回路を組み込む方法であり、インタフェースの回路の中で、保留音のラッチを行う部分のみを図示したものである。図３の事例でＳＤ３,２１２に音源が載せられているため、インタフェースユニットではこのタイミングすなわちＳＤ３,２１２の時点に下りデータハイウエイ４１から、ＣＰＵの指示により、ＳＤ３タイムスロット３２でデータを取り込む。取り込まれた保留音データは、シフトレジスタ４３でラッチされ、循環して記憶されている。端末機にも保留音を流す場合この音データが端末機４４に送られ、端末機は受信のタイムスロットで保留音を取り込み活用する。端末機が保留音を送信する時は、シフトレジスタ４３に保留音が循環ラッチされているため、ＣＰＵの指示でゲート３,４７で端末機からのデータ４５からシフトレジスタ４３のラッチされた保留音に出力データを切り換え、ゲート４,４８で送信用のスロットである、本実施の形態ではＳＵ１,２５のスロットが開かれ、保留音が上り線１１８データハイウエイのスロットのＳＵ１,２５に載せられる。
【００１１】
図５は、保留音のラッチ回路を端末機のインタフェースから独立して、別途設けた場合の事例である。本実施の形態では、下りデータハイウエイ４１から、図３の事例に従うと、ＳＤ３タイムスロット３２で取り込み、シフトレジスタ５４に循環ラッチする。ラッチされた保留音データは、端末機の接続で決まる、Ｎ番目の下り線１１７データハイウエイ５１のタイムスロットＳＤＮ５２に、あるいは、上り線１１８のデータハイウエイ４４のＭ番目のタイムスロットＳＵＭ５３に出力される、この方式の長所は、２台以上の端末機が保留音になった場合、ＣＰＵの制御で両端末機が通信しているスロットでゲート５,５５又は、ゲート６,５６を合計２スロット以上開放することで達成でき、新たなハードウエアを必要としない事である。端末間の通信を行う時、上り、下り両データハイウエイにデータを載せることは、必要な事である。端末側にも保留音を流す場合、上例では、端末機の受信スロットをＳＤ３,２１２に設定すれば良い。
【００１２】
第２実施の形態の構成は、第１実施の形態の音源インタフェース１１６を２台以上備えそれぞれ別の保留音を発生させるものである。例えば、オルゴールの音と管弦楽の音の様に雰囲気の異なった音源が望ましい。各端末機は、コードレス電話１７を例に挙げると、コードレス電話のダイヤルボタンの組み合わせで、通信に用いないものを利用して、ＣＰＵの設定モードへの切換え入力とする。端末ＣＰＵ１４は、この設定モードの信号を認識し設定モードに入る。以下ＣＰＵは、ＣＰＵで合成された音声で端末機に問い合わせて来るため、端末機側では対話的に音源の切換えをキーボタンより指示すると音源の内好ましい方を選択できる。
【００１３】
【発明の効果】
本発明によれば、保留音の音源及び付属の回路を１セットに限定でき、各端末機器毎に設置する必要が無くなり、非常に経済的な通信機器が作られる。
また音源を増やすことにより、保留音の種類を増やし、端末機の使用者が選択できるため、使用者の好みに、より適合できる。
【図面の簡単な説明】
【図１】  本発明の通信機器を用いる通信系統の構成を示すブロック図である。
【図２】データハイウエイ上のタイムスロットを説明する図である。
【図３】音源ユニットの構成を示す図である。
【図４】第１実施の形態の保留音ラッチ回路図である。
【図５】第２実施の形態の保留音ラッチ回路図である。
【符号の説明】
１１  ＩＳＤＮ回線
１２  ＤＳＵ
１３  通信制御回路
１４  ＣＰＵ
１５  記憶装置
１６  インタフェースＲＦユニット
１７、１９  コードレス電話
１８  インタフェースＲＦユニット
１１０、１１２  インタフェースアナログユニット
１１４  インタフェースディジタルユニット
１１６  インタフェースコーディック音源
【図１】
0003670882.tif 000002
【図２】
0003670882.tif 000003
【図３】
0003670882.tif 000004
【図４】
0003670882.tif 000005
【図５】
0003670882.tif 000006